【手続補正書】
【提出日】平成26年2月6日(2014.2.6)
【手続補正１】
【補正対象書類名】特許請求の範囲
【補正対象項目名】全文
【補正方法】変更
【補正の内容】
【特許請求の範囲】
【請求項１】
記録媒体を搬送する搬送部と、
前記搬送部により搬送される記録媒体に対して、インクを吐出するラインインクジェットヘッドと、
画像の記録に係るジョブ及び前記ジョブに関連するジョブ関連情報を受信する受信部と、
前記ジョブの実行に際し、前記ジョブ関連情報に基づいて、前記搬送部で前記記録媒体の搬送を所定の目標位置で停止させる手順を含む前記ジョブの実行に係る処理の手順を決定し、前記搬送部及び前記ラインインクジェットヘッドを制御して前記記録媒体に記録する制御部と、
を備えることを特徴とする記録装置。
【請求項２】
前記受信部は、前記ジョブを複数受信し、
前記制御部は、
前記ジョブ関連情報に基づいて、複数の前記ジョブのうち、最後の前記ジョブの実行の終了に応じて、前記搬送部で搬送を停止する処理が実行され、前記所定の目標位置で搬送が停止する請求項１に記載の記録装置。
【請求項３】
前記ジョブ関連情報は、受信される前記ジョブの数を示す情報を含み、
前記制御部は、
前記ジョブ関連情報に含まれる前記ジョブの数を示す情報に基づいて、前記所定の目標位置を決定する請求項１又は２に記載の記録装置。
【請求項４】
バッファーを有する記憶部を備え、
前記ジョブは、前記記録媒体に記録する画像データを含み、
前記制御部は、前記ジョブを実行する場合、前記ジョブに含まれる前記画像データをページ単位で前記バッファーに展開し、展開した前記画像データに基づいて前記記録媒体に記録を行う請求項１に記載の記録装置。
【請求項５】
前記ジョブ関連情報は、前記ジョブに含まれる前記画像データに関する情報を含み、
前記制御部は、
前記ジョブ関連情報に含まれる前記情報に基づいて、前記目標位置を決定する請求項４に記載の記録装置。
【請求項６】
画像の記録に係るジョブ及び前記ジョブに関連するジョブ関連情報を送信する情報制御部を備える制御装置と、
記録媒体を搬送する搬送部、前記搬送部により搬送される記録媒体に対してインクを吐出するラインインクジェットヘッド、前記制御装置で送信された前記ジョブ及び前記ジョブ関連情報を受信する受信部、及び前記ジョブの実行に際して前記ジョブ関連情報に基づいて前記搬送部で前記記録媒体の搬送を所定の目標位置で停止させる手順を含む前記ジョブの実行に係る処理の手順を決定して前記搬送部及び前記ラインインクジェットヘッドを制御して前記記録媒体に記録する制御部を備える記録装置と、
を有することを特徴とする記録システム。
【請求項７】
画像の記録に係わるジョブ及び前記ジョブに関するジョブ関連情報を受信し、
受信した前記ジョブ関連情報に基づいて、搬送部で搬送を所定の目標位置で停止する手順を含む前記ジョブの実行に係る処理の手順を決定し、
決定された前記処理の手順で前記搬送部及びラインインクジェットを制御して記録媒体への記録を実行することを特徴とする記録装置の制御方法。
【手続補正２】
【補正対象書類名】明細書
【補正対象項目名】０００５
【補正方法】変更
【補正の内容】
【０００５】
上記目的を達成するために、本発明は、制御装置と接続可能な記録装置であって、記録媒体を搬送する搬送部と、前記搬送部により搬送される記録媒体に対して、インクを吐出するラインインクジェットヘッドと、画像の記録に係るジョブ及び前記ジョブに関連するジョブ関連情報を受信する受信部と、前記ジョブの実行に際し、前記ジョブ関連情報に基づいて、前記搬送部で前記記録媒体の搬送を所定の目標位置で停止させる手順を含む前記ジョブの実行に係る処理の手順を決定し、前記搬送部及び前記ラインインクジェットヘッドを制御して前記記録媒体に記録する制御部と、を備えることを特徴とする。
この構成によれば、ジョブの実行に際し、制御装置から取得したジョブ関連情報に基づいて、入力されるジョブの態様を反映して、ジョブの実行に係る各種処理の手順が決定されるため、当該手順に準じてジョブの実行に係る各種処理を実行することにより、制御装置から入力されるジョブの態様に応じた効率的な手順で、ジョブに係る処理を順次実行していくことが可能となる。
また、この構成によれば、記録媒体の搬送を停止する場合、目標位置で搬送が停止されるため、搬送の停止後における記録媒体の位置がを正確に管理可能となり、例えば、新たにジョブを実行する場合において、当該ジョブを実行するために記録媒体を搬送方向と逆方向に戻す場合に、目標位置で記録媒体の搬送が停止していることを利用して、どれだけの量、搬送すればよいかが、迅速かつ効率的に分かり、当該作業を効率よく実行できる。
【手続補正３】
【補正対象書類名】明細書
【補正対象項目名】０００６
【補正方法】変更
【補正の内容】
【０００６】
また、上記発明の記録装置であって、本発明は、前記受信部は、前記ジョブを複数受信し、前記制御部は、前記受信部が受信した前記ジョブ関連情報に基づいて、複数の前記ジョブのうち、最後の前記ジョブの実行の終了に応じて、前記搬送部で搬送を停止する処理が実行され、前記所定の目標位置で搬送が停止することを特徴とする。
この構成によれば、最後に実行すべきジョブに係る画像の記録が終了した後、不必要に記録媒体の搬送が実行されることを防止できる。さらに、新たにジョブを実行する場合において、当該ジョブを実行するために記録媒体を搬送方向と逆方向に戻す場合に、搬送量を少なくすることができ、当該逆方向への搬送に要する時間を短縮化でき、スループットを向上することができる。
さらに、この構成によれば、最後に実行すべきジョブに係る画像の記録が終了した後、不必要に記録媒体の搬送が実行されることを防止しつつ、搬送の停止後における記録媒体の相対的な位置が管理可能なため、例えば、新たにジョブを実行する場合において、当該ジョブを実行するために記録媒体を搬送方向と逆方向に戻す場合に、当該作業を効率よく実行できる。
なお、ラインインクジェットヘッドの場合、搬送時の精度が要求されるので、定速にするためのスローアップが複雑で時間が掛かる。一旦停止すると、再度定速にするのに時間が掛かる。また、受信待ちや定期クリーニングの時など、適切な位置で停止させないとスループットが低下する。このような条件を組み合わせて、できるだけ複数のジョブを停止させることなく続けて実行することが好ましい。ジョブの受信のたびにすぐ記録を開始し、次のジョブの受信待ちで停止させることを繰り返すと、却ってスループットが低下することがあるためである。
【手続補正４】
【補正対象書類名】明細書
【補正対象項目名】０００７
【補正方法】変更
【補正の内容】
【０００７】
また、上記発明の記録装置であって、本発明は、前記ジョブ関連情報は、受信される前記ジョブの数を示す情報を含み、前記制御部は、前記ジョブ関連情報に含まれる前記ジョブの数を示す情報に基づいて、前記所定の目標位置を決定することを特徴とする。
この構成によれば、ジョブ関連情報に含まれるジョブの数を反映して、搬送部による搬送を停止する目標位置を適切に決定できる。
【手続補正５】
【補正対象書類名】明細書
【補正対象項目名】０００８
【補正方法】変更
【補正の内容】
【０００８】
また、上記発明の記録装置であって、本発明は、バッファーを有する記憶部を備え、前記ジョブは、前記記録媒体に記録する画像データを含み、前記制御部は、前記ジョブを実行する場合、前記ジョブに含まれる前記画像データをページ単位で前記バッファーに展開し、展開した前記画像データに基づいて前記記録媒体に記録を行うことを特徴とする。
この場合、記録装置は、ジョブに係るデータの受信を完了した上で、当該データに含まれる画像データがバッファーに展開され、当該バッファーに展開された画像データに基づいて、画像の記録を実行することとなるが、上記構成によれば、１のジョブの実行と、次のジョブの実行との間で、搬送部による搬送の停止が行われるため、バッファーに展開された画像データに基づいて画像を記録している途中で、搬送が停止されることを好適に防止できる。
【手続補正６】
【補正対象書類名】明細書
【補正対象項目名】０００９
【補正方法】変更
【補正の内容】
【０００９】
また、上記発明の記録装置であって、本発明は、前記ジョブ関連情報は、前記ジョブに含まれる前記画像データに関する情報を含み、前記制御部は、前記ジョブ関連情報に含まれる前記情報に基づいて、前記目標位置を決定することを特徴とする。
この構成によれば、ジョブに含まれる画像データの態様を反映して、適切に目標位置を定めることが可能となる。
【手続補正７】
【補正対象書類名】明細書
【補正対象項目名】００１２
【補正方法】変更
【補正の内容】
【００１２】
また、上記目的を達成するために、本発明の記録システムは、画像の記録に係るジョブ及び前記ジョブに関連するジョブ関連情報を送信する情報制御部を備える制御装置と、記録媒体を搬送する搬送部、前記搬送部により搬送される記録媒体に対してインクを吐出するラインインクジェットヘッド、前記制御装置で送信された前記ジョブ及び前記ジョブ関連情報を受信する受信部、及び前記ジョブの実行に際して前記ジョブ関連情報に基づいて前記搬送部で前記記録媒体の搬送を所定の目標位置で停止させる手順を含む前記ジョブの実行に係る処理の手順を決定して前記搬送部及び前記ラインインクジェットヘッドを制御して前記記録媒体に記録する制御部を備える記録装置と、を有することを特徴とする。
この構成によれば、ジョブを実際に実行する前に、制御装置から取得したジョブ関連情報に基づいて、入力されるジョブの態様を反映して、ジョブの実行に係る各種処理の手順が決定されるため、当該手順に準じてジョブの実行に係る各種処理を実行することにより、制御装置から入力されるジョブの態様に応じた効率的な手順で、ジョブに係る処理を順次実行していくことが可能となる。
また、この構成によれば、記録媒体の搬送を停止する場合、目標位置で搬送が停止されるため、搬送の停止後における記録媒体の位置が管理可能となり、例えば、新たにジョブを実行する場合において、当該ジョブを実行するために記録媒体を搬送方向と逆方向に戻す場合に、目標位置で記録媒体の搬送が停止していることを利用して、当該作業を効率よく実行できる。
【手続補正８】
【補正対象書類名】明細書
【補正対象項目名】００１３
【補正方法】変更
【補正の内容】
【００１３】
また、上記目的を達成するために、本発明の記録装置の制御方法は、画像の記録に係わるジョブ及び前記ジョブに関するジョブ関連情報を受信し、受信した前記ジョブ関連情報に基づいて、搬送部で搬送を所定の目標位置で停止する手順を含む前記ジョブの実行に係る処理の手順を決定し、決定された前記処理の手順で前記搬送部及びラインインクジェットを制御して記録媒体への記録を実行することを特徴とする。
この構成によれば、ジョブを実際に実行する前に、制御装置から取得したジョブ関連情報に基づいて、入力されるジョブの態様を反映して、ジョブの実行に係る各種処理の手順が決定されるため、当該手順に準じてジョブの実行に係る各種処理を実行することにより、制御装置から入力されるジョブの態様に応じた効率的な手順で、ジョブに係る処理を順次実行していくことが可能となる。
【手続補正９】
【補正対象書類名】明細書
【補正対象項目名】発明の名称
【補正方法】変更
【補正の内容】
【発明の名称】記録装置、記録システム、及び、記録装置の制御方法